(57)【要約】【課題】温度だけでなく、時間も考慮した熱エネルギを熱履歴として表示することができ、高速生産にも適するとともに、安価に熱履歴を表示できる燃料電池用燃料カートリッジを提供すること。【解決手段】液体燃料を用いて発電する燃料電池本体の燃料タンクに燃料を補給する燃料電池用の燃料カートリッジ１０に、温度と時間による熱履歴を表示する熱履歴表示インキ組成物をインクジェットプリンタにより印刷した熱履歴表示部２０を設ける。この熱履歴表示部２０の色の変化から温度だけでなく、時間を考慮した熱履歴を知ることができ、燃料カートリッジの熱による損傷などを推定できるようになる。また、インクジェットプリンタで直接印刷することで、高速かつ安価に表示でき、ラベルのように剥がれて別体となることも防止するようにする。  これにより、使用者は熱履歴の表示から使用を中止でき、メーカーはどのような条件で使用されたかを把握できるようになる。【選択図】図１
2008091244.tif 000002
【特許請求の範囲】
【請求項１】
液体燃料を用いて発電する燃料電池本体の燃料タンクに燃料を補給する燃料電池用の燃料カートリッジであって、
液体燃料が収納され前記燃料電池本体の燃料タンク側と着脱可能な本体容器に、温度と時間による熱履歴を表示する熱履歴表示インキ組成物をインクジェットプリンタにより印刷した熱履歴表示部を設けたことを特徴とする熱履歴を表示できる燃料電池用燃料カートリッジ。
【請求項２】
前記本体容器を内側容器とし、この内側容器を収納し剛性を有する外側容器を設け、これら内側容器および／または外側容器に、前記熱履歴表示部を設けたことを特徴とする請求項１に記載の熱履歴を表示できる燃料電池用燃料カートリッジ。
【請求項３】
前記熱履歴表示部を、前記本体容器、前記内側容器および／または外側容器の少なくともいずれかの製造番号の印刷と兼用したことを特徴とする請求項１または２に記載の熱履歴を表示できる燃料電池用燃料カートリッジ。
【請求項４】
熱履歴による変化後の色による下地部を形成し、この下地部上に使用を許容する表示を前記熱履歴表示部として形成し、熱履歴後には当該使用を許容する表示を前記下地部と混同不認化させることを特徴とする請求項１〜３のいずれかに記載の熱履歴を表示できる燃料電池用燃料カートリッジ。
【請求項５】
熱履歴による変化前の色による下地部を形成し、この下地部上に使用を禁止する表示を前記熱履歴表示部として形成し、熱履歴後には当該使用を禁止する表示を前記下地部と区分して認化させることを特徴とする請求項１〜３のいずれかに記載の熱履歴を表示できる燃料電池用燃料カートリッジ。
【発明の詳細な説明】
【技術分野】
【０００１】
この発明は熱履歴を表示できる燃料電池用燃料カートリッジに関し、燃料電池本体の燃料タンクに液体燃料を補給するための燃料カートリッジで、燃料カートリッジが受けた熱履歴（温度と時間の積算）を簡単に知ることができるようにしたもので、特にメタノール燃料電池の燃料カートリッジに用いて好適なものである。
【背景技術】
【０００２】
液体燃料から直接発電することができる液体型燃料電池が種々開発されつつあり、メタノールを燃料とする直接メタノール型燃料電池（ＤＭＦＣ）では、改質器を必要とせず小型にできることから携帯用電子機器の電源としての利用が注目されている。
特に、パッシブ方式とよばれる直接メタノール型燃料電池（ＤＭＦＣ）では、燃料電池本体側に設けた燃料タンクに液体燃料であるメタノールが入れられた燃料カートリッジを連結してメタノールを直接補給することが行われ、燃料供給用のポンプを必要とせず、一層の小型化を図ることができる。
また、アクティブ方式の燃料電池では、燃料電池本体側にポンプ機構が備えられ、メタノールが入れられた燃料カートリッジを連結し、ポンプ機構で燃料カートリッジ内のメタノールを吸い出して燃料タンクへ補給することが行われる。
これらいずれの方式のメタノール型燃料電池であっても、補給用の燃料として濃度が異なる種々のメタノール水溶液や純メタノールを燃料カートリッジに収納して使用するようにしている。
【０００３】
このような燃料カートリッジでは、内容物のメタノールの沸点が６５℃程度であり、車内に置かれると、炎天下の車中では室温が６０℃にも達したり、ダッシュボードでは７５℃にも達し、メタノールの揮発が進みカートリッジの内圧が極度に上昇し、容器が変形するなど容器への負荷が大きくなる。
このため、燃料電池用の燃料カートリッジには、保証温度範囲と、これを超える高温下に暴露しないようにするための注意書きが施されるが、車内に置き忘れるなどのヒューマンエラーは避けられず、このような場合でも使用者やメーカーがどのような熱履歴があるのか知り、使用可能であるか否かを判断する必要がある。
そこで、特許文献１には、燃料カートリッジのタンク近傍に燃料の沸点付近で不可逆に変色するラベルを貼付することで、高温に曝されたことをラベルの変色から知ることができるようにしている。
【特許文献１】特開２００６−４９１１３号公報
【発明の開示】
【発明が解決しようとする課題】
【０００４】
このようなラベルを貼付することで、一度でも沸点近傍の温度を経験することで変色し、温度が下がってもそのままの色を保持することから、これによって沸点付近の温度を経験したがどうかを知ることができる。
しかし、変色により表示できる温度範囲が限定的であり、また、一度でも沸点近傍の温度になると、変色することから、燃料カートリッジのタンク自体が損傷しないよう場合までも警告として表示される場合があるという問題がある。
また、ラベルを貼付する場合には、別にラベルを用意し、これをタンクなどの容器に別工程で貼付しなければならず、工程が増大するとともに、高速生産に適さず、高価であり、場合によってはラベルが剥がれてしまうという問題もある。
【０００５】
この発明は、上記従来技術の課題に鑑みてなされたもので、温度だけでなく、時間も考慮した熱エネルギを熱履歴として表示することができ、高速生産にも適するとともに、安価に熱履歴を表示できる燃料電池用燃料カートリッジを提供しようとするものである。
【課題を解決するための手段】
【０００６】
上記従来技術の有する課題を解決するためこの発明の請求項１記載の熱履歴を表示できる燃料電池用燃料カートリッジは、液体燃料を用いて発電する燃料電池本体の燃料タンクに燃料を補給する燃料電池用の燃料カートリッジであって、液体燃料が収納され前記燃料電池本体の燃料タンク側と着脱可能な本体容器に、温度と時間による熱履歴を表示する熱履歴表示インキ組成物をインクジェットプリンタにより印刷した熱履歴表示部を設けたことを特徴とするものである。
この熱履歴を表示できる燃料電池用燃料カートリッジによれば、燃料カートリッジの前記本体容器に、温度と時間による熱履歴を表示する熱履歴表示インキ組成物をインクジェットプリンタにより印刷した熱履歴表示部を設けており、熱履歴表示部の変化から温度だけでなく、時間を考慮した熱履歴を知ることができ、燃料カートリッジの容器本体の熱による損傷などを推定できるようになる。また、インクジェットプリンタで直接本体容器に印刷することで、高速かつ安価に表示でき、ラベルのように剥がれて別体となることも防止するようにしている。
これにより、使用者は熱履歴の表示から使用を中止でき、メーカはどのような条件で使用されたかを把握することができるようになる。
【０００７】
また、この発明の請求項２記載の熱履歴を表示できる燃料電池用燃料カートリッジは、請求項１に記載の構成に加え、前記本体容器を内側容器とし、この内側容器を収納し剛性を有する外側容器を設け、これら内側容器および／または外側容器に、前記熱履歴表示部を設けたことを特徴とするものである。
この熱履歴を表示できる燃料電池用燃料カートリッジによれば、前記本体容器を内側容器とし、この内側容器を収納し剛性を有する外側容器を設け、これら内側容器および／または外側容器に、前記熱履歴表示部を設けるようにしており、内側および外側の容器で構成する場合にも、内側容器または外側容器の熱履歴表示部の変化あるいは両方の熱履歴表示部の変化から温度だけでなく、時間を考慮した熱履歴を知ることができ、燃料カートリッジの熱による損傷などを推定できるようになる。
これにより、使用者は外側容器の熱履歴の表示から使用を中止でき、メーカは内側容器や外側容器の熱履歴の表示からどのような条件で使用されたかを把握することができるようになる。
【０００８】
さらに、この発明の請求項３記載の熱履歴を表示できる燃料電池用燃料カートリッジは、請求項１または２に記載の構成に加え、前記熱履歴表示部を、前記本体容器、前記内側容器または外側容器の少なくともいずれかの製造番号の印刷と兼用したことを特徴とするものである。
この熱履歴を表示できる燃料電池用燃料カートリッジによれば、前記熱履歴表示部を、前記本体容器、前記内側容器および／または外側容器の少なくともいずれかの製造番号の印刷と兼用しており、生産管理上必要な製造番号の印刷から熱履歴を知ることができ、印刷工程や印刷箇所を増やすことなく、熱履歴も表示することができるようになる。
【０００９】
また、この発明の請求項４記載の熱履歴を表示できる燃料電池用燃料カートリッジは、請求項１〜３のいずれかに記載の構成に加え、熱履歴による変化後の色による下地部を形成し、この下地部上に使用を許容する表示を前記熱履歴表示部として形成し、熱履歴後には当該使用を許容する表示を前記下地部と混同不認化させることを特徴とするものである。
この熱履歴を表示できる燃料電池用燃料カートリッジによれば、熱履歴による変化後の色による下地部を形成し、この下地部上に使用を許容する表示を前記熱履歴表示部として形成し、熱履歴後には当該使用を許容する表示を前記下地部と混同不認化させるようにしており、熱履歴による変化前の下地部上に熱履歴表示部として、例えば「使用可」の文字による表示を設けておき、これが熱履歴による色の変化で同色となって混同して見えなくなるようにし、この変化後の状態の色を警告表示などとすることで、色の情報だけでなく文字による情報量を加えて一層確実に熱履歴を判断することができるようになる。
【００１０】
さらに、この発明の請求項５記載の熱履歴を表示できる燃料電池用燃料カートリッジは、請求項１〜３のいずれかに記載の構成に加え、熱履歴による変化前の色による下地部を形成し、この下地部上に使用を禁止する表示を前記熱履歴表示部として形成し、熱履歴後には当該使用を禁止する表示を前記下地部と区分して認化させることを特徴とするものである。
この熱履歴を表示できる燃料電池用燃料カートリッジによれば、熱履歴による変化前の色による下地部を形成し、この下地部上に使用を禁止する表示を前記熱履歴表示部として形成し、熱履歴後には当該使用を禁止する表示を前記下地部と区分して認化させるようにしており、熱履歴による変化前の下地部上に熱履歴表示部として、例えば「使用不可」の文字による禁止表示を設けて見えないようにしておき、これが熱履歴による色の変化で区分されて見えるようにし、この変化後の表示を文字などの警告表示などとすることで、色の変化だけでなく文字による情報量を加えて一層確実に熱履歴を判断することができるようになる。
【発明の効果】
【００１１】
この発明の請求項１記載の熱履歴を表示できる燃料電池用燃料カートリッジによれば、液体燃料を用いて発電する燃料電池本体の燃料タンクに燃料を補給する燃料電池用の燃料カートリッジであって、液体燃料が収納され前記燃料電池本体の燃料タンク側と着脱可能な本体容器に、温度と時間による熱履歴を表示する熱履歴表示インキ組成物をインクジェットプリンタにより印刷した熱履歴表示部を設けたので、熱履歴表示部の変化から温度だけでなく、時間を考慮した熱履歴を知ることができ、燃料カートリッジの容器本体の熱による損傷などを推定することができる。また、インクジェットプリンタで直接本体容器に印刷することで、高速かつ安価に表示でき、ラベルのように剥がれて別体となることも防止することができる。
これにより、使用者は熱履歴の表示から使用を中止することができ、メーカはどのような条件で使用されたかを把握することができる。
【００１２】
また、この発明の請求項２記載の熱履歴を表示できる燃料電池用燃料カートリッジによれば、前記本体容器を内側容器とし、この内側容器を収納し剛性を有する外側容器を設け、これら内側容器および／または外側容器に、前記熱履歴表示部を設けるようにしたので、内側および外側の容器で構成する場合にも、内外側容器の一方または両方の熱履歴表示部の変化から温度だけでなく、時間を考慮した熱履歴を知ることができ、燃料カートリッジの熱による損傷などを推定することができる。
これにより、使用者は外側容器の熱履歴の表示から使用を中止することができ、メーカは内側容器や外側容器の熱履歴の表示からどのような条件で使用されたかを把握することができる。
【００１３】
さらに、この発明の請求項３記載の熱履歴を表示できる燃料電池用燃料カートリッジによれば、前記熱履歴表示部を、前記本体容器、前記内側容器および／または外側容器の少なくともいずれかの製造番号の印刷と兼用したので、生産管理上必要な製造番号の印刷から熱履歴を知ることができるとともに、印刷工程や印刷箇所を増やすことなく、熱履歴も表示することができる。
【００１４】
また、この発明の請求項４記載の熱履歴を表示できる燃料電池用燃料カートリッジによれば、熱履歴による変化後の色による下地部を形成し、この下地部上に使用を許容する表示を前記熱履歴表示部として形成し、熱履歴後には当該使用を許容する表示を前記下地部と混同不認化させるようにしたので、熱履歴による変化前の下地部上に熱履歴表示部として、例えば「使用可」の文字による表示を設けておき、これが熱履歴による色の変化で混同して見えなくなるようにし、この変化後の状態の色を警告表示などとすることで、色による情報に文字による情報を加えて情報量を増大でき、一層確実に熱履歴を判断することができる。
【００１５】
さらに、この発明の請求項５記載の熱履歴を表示できる燃料電池用燃料カートリッジによれば、熱履歴による変化前の色による下地部を形成し、この下地部上に使用を禁止する表示を前記熱履歴表示部として形成し、熱履歴後には当該使用を禁止する表示を前記下地部と区分して認化させるようにしたので、熱履歴による変化前の下地部上に熱履歴表示部として、例えば「使用不可」の文字による禁止表示を設けて見えないようにしておき、これが熱履歴による色の変化で区分されて見えるようにし、この変化後の表示を文字などの警告表示などとすることで、色の変化だけでなく文字による情報量を加えて一層確実に熱履歴を判断することができる。
【発明を実施するための最良の形態】
【００１６】
以下、この発明の実施の形態を図面に基づき詳細に説明する。  
図１および図２はこの発明の熱履歴を表示できる燃料電池用燃料カートリッジの一実施の形態にかかり、図１（ａ）は熱履歴を受ける前の正面図、底面図および側面図、図１（ｂ）は熱履歴を受けた後の正面図であり、図２（ａ）は外側容器の一部破断して示す正面図、図２（ｂ）は内側容器の正面図および側面図である。
【００１７】
この熱履歴を表示できる燃料電池用燃料カートリッジ（以下、単に燃料カートリッジとする）１０は、燃料電池本体の燃料タンクと接続具などを介して着脱可能とされ内部に収納された燃料を燃料電池本体側の燃料タンクに補給するためのものであり、燃料カートリッジから液体燃料を押し出すことで直接補給するパッシブ方式や燃料電池本体側にポンプ機構を備えて燃料カートリッジの液体燃料を吸い出して補給するアクティブ方式のいずれにも適用できるものである。
この燃料カートリッジ１０は、例えば二重の容器構造とされ、液体燃料が収納される本体容器としての内側容器１１と、この内側容器１１の外側を覆う剛性を有した外側容器１２とで構成され、内側容器１１には、先端部の連結ノズル部１３に燃料電池本体の燃料タンク側と着脱可能に接続される接続具としてのカップラーや所定の濃度や種類の液体燃料を識別して連結する識別キーなどが設けられるとともに、内側容器１１の連結ノズル部１３を覆って密封するキャップ１４が設けられて内側容器１１を覆って外側容器１２にねじ込まれる。
なお、外側容器を省略し、内側容器を本体容器として一重の容器で燃料カートリッジを構成することもできる。
【００１８】
例えば、パッシブ方式の燃料カートリッジ１０では、内側容器１１は収縮性を持つボトルとされ、外側容器１２に押ボタン１５を設けて収納された内側容器１１を押圧し収縮させて液体燃料を押し出すように構成する。
このため燃料が入れられる本体容器としての内側容器１１は、燃料であるメタノールに対する耐食性および耐透過性（バリアー性）を有するとともに、メタノールを押し出すことができる収縮性およびスクイズ性を有する合成樹脂製のプラスチックボトルとされ、例えば連結ノズル部１３と偏心させ容器本体の横断面形状が略扁平の楕円状としてある。
【００１９】
なお、アクティブ方式で、ポンプ機構で吸引する場合の本体容器としての内側容器としては、燃料であるメタノールを入れることができ、メタノールに対する耐食性や耐透過性を有する袋状であれば良く、連結ノズル部１３と偏心させたプラスチックボトル１１とで押ボタン１５の操作スペースを確保できる横断面形状などにする必要はなく、吸引にともなって収縮できるものであれば良い。
【００２０】
内側容器１１を覆う外側容器１２は、内側容器であるプラスチックボトル１１を収納できるように前後面で分割された二分割構造のハードケースとされ、前面部分に押ボタン１５が設けられて下端部を支点として内側に押し込むことができるとともに、上端部には、連結ノズル部１３を覆う半割り状に突き出す突き出し部が形成され連結ノズル部１３の外周を覆って保護するようにしてある。
そして、この外側容器１２内に内側容器であるプラスチックボトル１１を収納し、二つ割りの前面部材および後面部材を合わせるように閉じることで、プラスチックボトル１１のほぼ全体を収納し、接続具であるカップラーのプラグのみが露出した状態にでき、キャップ１４をねじ込むことで、密封することができる。
また、キャップ１４を外した状態で、プラグを燃料電池本体のソケットと連結した後、外側容器１２の押ボタン１５を押すことで、内側容器１１の胴部前面が押され、燃料をプラスチックボトル１１から流出させてソケットを介して燃料電池本体側に供給することができる。
【００２１】
なお、アクティブ方式で、ポンプ機構で吸引する場合の外側容器としては、燃料であるメタノールが入れられた内側容器であるプラスチックボトルを収納し保護できるものであれば良く、押ボタンを備える必要はない。
【００２２】
また、キャップ１４は、たとえば合成樹脂製とされた内装キャップと外装キャップとで構成される二重構造の安全キャップとし、外装キャップで内装キャップを覆って回転可能かつ限られた範囲で軸方向に移動可能に装着しておき、外装キャップを押し下げて回転する動作で内装キャップと一体化して回転して開閉できるようにし、外装キャップの回転動作のみでは遊転させることで、開閉不能なチャイルドレジスタント効果を備える安全キャップとして機能させるようにしてある。
【００２３】
さらに、接続具としてのカップラーは、互いに着脱可能な一対の嵌合凹凸部となるプラグおよびソケットで構成され、例えば燃料カートリッジ１０側には、嵌合凸部となる図示しないプラグがプラスチックボトル１１の連結ノズル部１３に装着され、嵌合凹部となるソケットが燃料電池本体側に設けられ、弁機構としてばねなどで付勢された弁体がプラグおよびソケットのそれぞれに設けられ、互いを装着・連結した状態で連通して燃料を流出させることができ、分離・離脱した状態で密閉できる構造としてある。
【００２４】
このように構成した燃料カートリッジ１０では、内側容器であるプラスチックボトル１１や外側容器１２の熱履歴を表示するため、熱履歴表示部２０が設けられ、温度と時間による熱エネルギを積算して表示できるようにしてある。
この熱履歴表示部２０は、熱歴表示インキ組成物を用い、これをインクジェットプリンタで印刷することで設けられ、例えば図１に示すように、外側容器の表面に「使用可」の文字２１として印刷したり、外側容器１２の底部の製造番号２２と兼用して印刷される。
【００２５】
この熱履歴表示２０に用いられる熱履歴表示インキ組成物は、例えばインキ本来の色彩をアミンで固定したもので、印刷時は黒色であるが、熱エネルギを受けると、アミンが遊離してインキ本来の色彩に徐々に戻る性質を有するものを使用する（特開２００３−２０４２２、特開２００４−１８６２０などを参照）。
そこで、メタノール燃料電池の燃料カートリッジ１０では、保障すべき温度範囲を、メタノールの沸点の６５℃程度を考慮して、例えば７０〜９０℃とし、時間を１時間以上２時間程度として熱履歴を表示するようにし、例えば７０℃・２時間で黒から紫に、８０℃・２時間で黒から青みのある赤に、９０℃・１時間以上で黒から赤に、それぞれの熱履歴で色彩が変化する熱履歴表示インキ（福岡パッキング株式会社：ＥＸＰ−３０４）を用いることで熱履歴を知ることができるようにする。また、９０℃以下の温度で、熱履歴によって黒色から、青、緑、黄へと時間の増大とともに色彩が変化する熱履歴表示インキ（福岡パッキング株式会社：ＥＸＰ−３０５）も使用できる。
【００２６】
このような熱履歴表示部２０を熱履歴表示インキ組成物を用いてインクジェットプリンタで印刷した文字２１とする場合には、外側容器１２に下地部２３として、熱履歴による色彩変化後の色、例えば赤の下地部２３とし、この下地部２３上に熱履歴表示インキ組成物による文字２１として「使用可」を印刷すると、文字２１が赤の下地部２３に黒で印刷される（図１（ａ）参照）。
この状態で燃料カートリッジ１０が使用され、誤って高温下に暴露されて、例えば９０℃・１時間以上の熱履歴が加わると、文字２１が黒から赤に変化し、下地部２３と同色になって文字が混同され、認識することができなくなって文字としての機能が失われ、これによって「使用可」が消えることで、使用をやめるべき状態であることを判断できる（図１（ｂ）参照）。
なお、文字２１による熱履歴表示部２０とともに、印刷やシールなどで「使用可」の文字２１が見えない状態では、使用を中止すべき注意書きを施すようにすることで、一層確実に使用を中止することができる。
【００２７】
また、燃料カートリッジ１０の底部に製造番号２２の印刷を熱履歴表示インキ組成物で印刷するようにし、通常は、黒色の表示が、熱履歴に応じて赤色に変化するようにする場合には、熱履歴で色が変化することを注意書きなどで表示するようにすれば、使用者が注意書きと合わせて見ることで、燃料カートリッジ１０の使用を中止するか否かの判断に利用でき、注意書きをしない場合には、燃料カートリッジ１０のメーカー側で、どのような条件（熱履歴）で使用されたかを把握するのに利用することができる。
【００２８】
さらに、熱履歴表示部２０を内側容器であるプラスチックボトル１１の表面に印刷するようにしても良く（図２参照）、プラスチックボトル１１の製造番号２４と兼用したり、燃料カートリッジ１０全体の製造番号と兼用して表示するようにしても良い。
このようなプラスチックボトル１１の表面に熱履歴表示部２０を設ける場合には、ユーザーは外側容器１２を開けることができないので、メーカー側で、どのような条件（熱履歴）で使用されたかを把握するのに利用することができる。
【００２９】
また、熱履歴表示部２０としては、図３に示すように、燃料カートリッジ１０の外側容器１２の底部に、上記実施の形態の場合と同様に、下地部２３を形成して熱履歴表示インキ組成物を用いてインクジェットプリンタで文字２１を印刷するようにしても良く、例えば赤の下地部２３とし、この下地部２３上に熱履歴表示インキ組成物による文字２１として「使用可」を印刷すると、文字２１が赤の下地部２３に黒で印刷される（図３（ａ）参照）。
このような底部の熱履歴表示部２０によっても、この状態で燃料カートリッジ１０が使用され、誤って高温下に暴露されて、例えば９０℃・１時間以上の熱履歴が加わると、文字２１が黒から赤に変化し、下地部２３と同色になって文字が混同され、認識することができなくなって文字としての機能が失われ、これによって「使用可」が消えることで、使用をやめるべき状態であることを判断できる（図３（ｂ）参照）。
なお、この場合も、文字２１による熱履歴表示部２０とともに、印刷やシールなどで「使用可」の文字２１が見えない状態では、使用を中止すべき注意書きを施すようにすることで、一層確実に使用を中止させることができる。
【００３０】
また、外側容器１２の底部に印刷する製造番号２４については、熱履歴表示インキ組成物を用いて熱履歴表示部２０と兼用しても良く、文字２１と合わせて熱履歴の判断に利用することができる。
【００３１】
また、熱履歴表示部２０を熱履歴表示インキ組成物を用いてインクジェットプリンタで印刷した文字２１とする場合には、図４に示すように、外側容器１２に下地部２５として、熱履歴による色彩変化前の色、例えば黒の下地部２５とし、この下地部２５上に熱履歴表示インキ組成物による文字２１として「使用不可」を印刷すると、文字２１が黒の下地部２５に黒で印刷され、区分して認化することができない状態となる（図４（ａ）参照）。
この状態で燃料カートリッジ１０が使用され、誤って高温下に暴露されて、例えば９０℃・１時間以上の熱履歴が加わると、文字２１が黒から赤に変化し、下地部２３と異なる色になって文字が区分でき、文字２１として認識することができ、これによって「使用不可」を見て使用をやめるべき状態であることを判断できる（図４（ｂ）参照）。
なお、文字２１による熱履歴表示部２０とともに、印刷やシールなどで「使用不可」の文字２１が見える状態では、使用を中止すべき注意書きを施すようにすることで、一層確実に使用を中止させることができる。
【００３２】
また、熱履歴表示部２０としては、図５に示すように、燃料カートリッジ１０の外側容器１２の底部に、図４の場合と同様に、下地部２５を形成して熱履歴表示インキ組成物を用いてインクジェットプリンタで文字２１を印刷するようにしても良く、例えば黒の下地部２５とし、この下地部２５上に熱履歴表示インキ組成物による文字２１として「使用不可」を印刷すると、文字２１が黒の下地部２５に黒で印刷され、区分して認可できない状態となる（図５（ａ）参照）。
このような底部の熱履歴表示部２０によっても、この状態で燃料カートリッジ１０が使用され、誤って高温下に暴露されて、例えば９０℃・１時間以上の熱履歴が加わると、文字２１が黒から赤に変化し、下地部２５と異なる色になって文字が区分され、認識することができ、文字としての「使用不可」を見ることで、使用をやめるべき状態であることを判断できる（図５（ｂ）参照）。
なお、この場合も、文字２１による熱履歴表示部２０とともに、印刷やシールなどで「使用不可」の文字２１が見える状態では、使用を中止すべき注意書きを施すようにすることで、一層確実に使用を中止させることができる。
【００３３】
さらに、熱履歴表示部２０を、図６に示すように、所定面積の色彩表示部２５として印刷するようにし、この色彩表示部２６とあわせて、例えば「この表示が赤色のときは、使用しないでください」という注意書きを表示することで、使用者が色彩表示部２６の色の変化から熱履歴による使用の中止を判断することができる。
なお、色彩表示部２６だけを印刷し、色彩の変化についての注意書きをしない場合には、メーカー側で燃料カートリッジ１０が使用された条件（熱履歴）を把握するのに利用することができる。
【００３４】
また、熱履歴表示部の大きさなどは、設ける部位や需要者（消費者）に対するものか、メーカー側が利用するものか等により適宜定めれば良く、需要者（消費者）に対するものとする場合には、できるだけ認識し易いものが好ましい。
【００３５】
このように燃料カートリッジ１０に熱履歴表示インキ組成物を用いて印刷した熱履歴表示部２０を設けることで、温度と時間を積算した熱履歴を色の変化から知ることができる。
そして、燃料カートリッジ１０の表面に設けた場合には、需要者（使用者）が熱履歴を簡単に知ることができ、燃料カートリッジ１０の内側容器であるプラスチックボトル１１に設けた場合には、需要者（使用者）が熱履歴を直ちに知ることができないが、万一、燃料カートリッジ１０に問題が生じた場合でも熱履歴表示部２０により原因の追跡調査を行うのに利用することができる。
また、熱履歴表示部２０を、熱履歴表示インキ組成物を用いてインクジェットプリンタで印刷して設けることで、燃料カートリッジ１０に対して高速で印刷することができるとともに、簡単に全ての燃料カートリッジに印刷して設けることができる。
さらに、熱履歴による変化後の色による下地部２３を形成し、この下地部２３上に使用を許容する表示である「使用可」の文字２１を熱履歴表示部２０として形成し、熱履歴後にはこの使用を許容する表示である「使用可」の文字２１を下地部２３と混同不認化させるようにすれば、この変化後の状態の色や文字表示が消えたことを警告表示などとすることで、色による情報に文字による情報を加えて情報量を増大でき、一層確実に熱履歴を判断することができる。
また、熱履歴による変化前の色による下地部２５を形成し、この下地部２５上に使用を禁止する表示である「使用不可」の文字２１を熱履歴表示部２０として形成し、熱履歴後にはこの使用を禁止する表示である「使用不可」の文字２１を下地部２５と区分して認化させるようにすれば、この変化後の状態の色と文字表示を警告表示などとすることで、色による情報に文字による情報を加えて情報量を増大でき、一層確実に熱履歴を判断することができる。
【図面の簡単な説明】
【００３６】
【図１】この発明の熱履歴を表示できる燃料電池用燃料カートリッジの一実施の形態にかかり、（ａ）は熱履歴を受ける前の正面図、底面図および側面図、（ｂ）は熱履歴を受けた後の正面図である。
【図２】この発明の熱履歴を表示できる燃料電池用燃料カートリッジの一実施の形態にかかり、（ａ）は外側容器の一部破断して示す正面図、（ｂ）は内側容器の正面図および側面図である。
【図３】この発明の熱履歴を表示できる燃料電池用燃料カートリッジの他の一実施の形態にかかり、（ａ）は熱履歴を受ける前の底面図、（ｂ）は熱履歴を受けた後の底面図である。
【図４】この発明の熱履歴を表示できる燃料電池用燃料カートリッジの他の一実施の形態にかかり、（ａ）は熱履歴を受ける前の正面図、（ｂ）は熱履歴を受けた後の正面図である。
【図５】この発明の熱履歴を表示できる燃料電池用燃料カートリッジのさらに他の一実施の形態にかかり、（ａ）は熱履歴を受ける前の底面図、（ｂ）は熱履歴を受けた後の底面図である。
【図６】この発明の熱履歴を表示できる燃料電池用燃料カートリッジのさらに他の一実施の形態にかかる正面図である。
【符号の説明】
【００３７】
１０      燃料カートリッジ
１１      内側容器（本体容器：プラスチックボトル）
１２      外側容器（ハードケース）
１３      連結ノズル部
１４      キャップ
１５      押ボタン
２０      熱履歴表示部
２１      文字
２２      製造番号
２３      下地部
２４      製造番号
２５      下地部
２６      色彩表示部
【図１】
2008091244.tif 000003
【図２】
2008091244.tif 000004
【図３】
2008091244.tif 000005
【図４】
2008091244.tif 000006
【図５】
2008091244.tif 000007
【図６】
2008091244.tif 000008